(57)【要約】【課題】テンプルのカラーバリエーションの自由度を高くすることができるとともに、肌へのフィット感や曲げ加工性に優れ、金属アレルギーの問題もない眼鏡フレームを提供することを目的としている。【解決手段】ヒンジ２４を介してヨロイ２３に回動自在に取り付けた眼鏡フレームＡのテンプル１ａをヒマラヤ羊の角から切り出してテンプル形状に加工した材料を染料や塗料によってグラデーション模様に着色した。【選択図】      図１
0003178919.tif 000002
【実用新案登録請求の範囲】
【請求項１】
テンプルの少なくともモダン部分が羊の角を切り出して形成された材料で形成されていることを特徴とする眼鏡フレーム。
【請求項２】
テンプル全体が羊の角を切り出して形成された材料で形成されている請求項１に記載の眼鏡フレーム。
【請求項３】
羊の角がヒマラヤ羊の角である請求項１または請求項２に記載の眼鏡フレーム。
【請求項４】
羊の角を切り出して形成された材料が、グラデーション模様に着色されている請求項１〜請求項３のいずれかに記載の眼鏡フレーム。
【請求項５】
羊の角を切り出して形成された材料部分のテンプルの厚み方向寸法が３ｍｍ〜１０ｍｍである請求項１〜請求項４のいずれかに記載の眼鏡フレーム。
【請求項６】
羊の角を切り出して形成された材料部分のテンプルの高さ方向寸法が５ｍｍ〜１５    ｍｍである請求項１〜請求項５のいずれかに記載の眼鏡フレーム。
【考案の詳細な説明】
【技術分野】
【０００１】
本考案は、眼鏡フレームに関する。
【背景技術】
【０００２】
通常の眼鏡フレームは、左右のリム（レンズ枠）、左右フロント部を固定するブリッジ、リムに一体的に取り付けられたパッドからなるフロント部と、フロント部に一端が固定され、他端部にモダンを有するテンプルとを備え、フロント部に使用者の視力や用途に合ったレンズがはめ込まれるようになっている。
このような眼鏡フレームは、金属材料、プラスチック材料、べっこうなどの天然材料をを単独であるいは複合させて形成されている（特許文献１）。
【先行技術文献】
【特許文献】
【０００３】
【特許文献１】特開２００２−８２３１６号公報
【考案の開示】
【考案が解決しようとする課題】
【０００４】
しかし、金属材料は、使用者の肌に直接あたるテンプル、特に、モダンの部分に用いると、吸湿性がないため、使用感が悪いとともに、金属アレルギーを引き起こすおそれもある。
プラスチック材料は、ほとんどアレルギーの問題はないもののやはり吸湿性に乏しいという問題がある。
一方、べっこうは、古来より使用されてた天然素材である程度吸湿性がある。しかしながら、ワシントン条約によって、原料となるタイマイ亀の採取が現在禁止されていて、現在ストックされているべっこうを用いているが、いずれ枯渇する運命にある。
また、べっこうの眼鏡フレームは、タイマイの甲羅から切り出した小片を貼り合わせて
製造されるため、着色等が施しにくいため、カラーバリエーションの自由度が乏しいという問題がある。
本考案は、上記事情に鑑みて、テンプルのカラーバリエーションの自由度を高くすることができるとともに、肌へのフィット感に優れた眼鏡フレームを提供することを目的としている。
【課題を解決するための手段】
【０００５】
上記目的を達成するために、本考案にかかる眼鏡フレームは、テンプルの少なくともモダン部分が羊の角を切り出して形成された材料で形成されていることを特徴としている。
【０００６】
本考案の眼鏡フレームは、テンプルの少なくともモダン部分が羊の角を切り出して形成された材料で形成されていればよいが、テンプル全体が羊の角を切り出して形成された材料で形成されていていてもよいし、枠部も羊の角を切り出して形成された材料で形成されていてもよい。
【０００７】
また、羊の角としては、特に限定されないが、べっこうにも似た透明感のある飴色をしていて、染色性に富んでいるとともに、しなやかさと粘り強さも備え、耐久性に特に優れていることから、ヒマラヤに生息する羊の角（シープホーン）が好ましい。
さらに、羊の角を切り出して形成された材料は、上記したように透明感があるうえ、染色性に富んでいるため、好みの色に容易に着色できる。
【０００８】
したがって、意匠性を上げるため、グラデーション模様に着色されている構成としてもよい。
なお、着色に用いる染料としては特に限定されないが、たとえば、油性ウレタン        系の染料が挙げられる。
【０００９】
また、特に限定されないが、羊の角を切り出して形成された材料部分のテンプルの厚み方向寸法は、３ｍｍ〜１０ｍｍとすることが好ましく、テンプルの高さ方向寸法は、５ｍｍ〜１５ｍｍが好ましい。
すなわち、あまり厚みが薄いあるいは高寸法が低すぎると強度的に問題があり、厚すぎるあるいは高すぎると、使用者の顔にフィットさせる際の曲げ加工が難しくなる。
【考案の効果】
【００１０】
本考案にかかる眼鏡フレームは、以上のように、テンプルの少なくともモダン部分が羊の角を切り出して形成された材料で形成されているので、熱を加えることによって少なくともモダン部分が変形させやすい。すなわち、少なくともモダン部分の曲り形状を眼鏡使用者の顔の形に容易に合わせることができ、眼鏡使用者に安定したフィット感を提供できる。
また、金属やプラスチック製に比べ、吸湿性があり、しっとりとした使用感を与えることができる。
さらに、染料で着色しやすく、いろいろなカラーバリエーションを容易に得ることができる。
そして、少なくともテンプルのモダン部分が、しなやかさと粘り強さも兼ね備えており、耐久性に優れている。
また、テンプル全体を羊の角を切り出して形成された材料で形成すれば、テンプル全体が曲げ加工しやすくなり、より使用感、フィット感を向上させることができる。
【図面の簡単な説明】
【００１１】
【図１】本考案にかかる眼鏡フレームの１つの実施の形態をあらわす斜視図である。
【図２】図１の眼鏡フレームのテンプルの正面図である。
【図３】テンプルの別例の正面図である。
【考案を実施するための形態】
【００１２】
以下に、本考案を、その実施の形態をあらわす図面を参照しつつ詳しく説明する。
図１は、本考案にかかる眼鏡フレームの１つの実施の形態をあらわしている。
【００１３】
図１に示すように、この眼鏡フレームＡは、左右のテンプル１ａと、フロント部２とを備えている。
テンプル１ａは、ヒマラヤ羊の角（シープホーン）を切り出した材料で形成されていて、後述するヒンジ２４に枢支される枢支部側からモダン１０側に向かって徐々に色が薄い色になるように着色されている。すなわち、グラデーション模様になっている。
【００１４】
フロント部２は、リム２１と、ブリッジ２２と、ヨロイ（智）２３と、ヒンジ２４と、パッドアーム２５と、パッド２６とを備えている
そして、フロント部２は、パッド２６を除く部分が、チタン、チタン合金、金めっき材料等で形成されている。
図１中、３はレンズである。
【００１５】
この眼鏡フレームＡは、上記のように、テンプル１ａが、ヒマラヤ羊の角（シープホーン）を切り出した材料で形成されているため、以下の点で優れている。
（１）吸湿性があり、肌に直接触れても違和感がない。すなわち、フィット感に優れている。
（２）少し熱を加えることによって容易に変形させることができ、使用者の顔のサイズや形、耳の位置のずれなどに合わせて、眼鏡店で容易に加工できる。
（３）着色しやすいので、上記のようにグラデーション柄等など意匠性の高い柄を容易に得られる。
（４）金属材料部分が直接肌に接触しないため、金属アレルギーを防ぐことができる。
【００１６】
図３は、本考案の眼鏡フレームに用いるテンプルの他の形態をあらわしている。
図３に示すように、このテンプル１ｂは、ヒマラヤ羊の角（シープホーン）を切り出した材料で形成されたテンプル本体１１と、寄木細工部１２とを備えている。
テンプル本体１１は、上記テンプル１ａと同様の着色方法によって一色に着色され、寄木細工部部１２の部分に寄木材料がはめ込まれる凹部（図示せず）が設けられている。
なお、寄木の材料は特に限定されないが、例えば、黒檀、ウォールナット、ブビンガ、サティーネなど比較的硬く耐久性に優れたものが好ましい。そして、これらを組み合わせて用いることができる。
【００１７】
本考案は、上記の実施の形態に限定されない。例えば、上記の実施の形態では、フロント部が、パッドを除き、金属材料で形成されていたが、リムをハーフリムやリムなしとしても構わない。また、リム部分も羊の角を切り出した材料で形成しても構わない。
上記の第１の実施の形態では、テンプル１ａがグラデーション模様に着色されていたが、
一色に着色されていてもよし、縞模様や水玉模様など自由に着色を施すことができる。
【符号の説明】
【００１８】
Ａ  眼鏡フレーム
１ａ、１ｂ  テンプル
１０  モダン
１１  テンプル本体
１２  寄木細工部
２  フロント部
２１  リム
２２  ブリッジ
２３  ヨロイ
２４  ヒンジ
２５  パッドアーム
２６  パッド
【図１】
0003178919.tif 000003
【図２】
0003178919.tif 000004
【図３】
0003178919.tif 000005